(57)【要約】【課題】デカール部材の押圧／離反する動作を手動で行うことなく、かつ、その動作を行う一部の機構を省略することができる。【解決手段】本発明に係るデカール装置は、記録紙ロール２から引き出された記録紙２ａを搬送する搬送ローラ４と、記録紙２ａを搬送ローラ４との間で押圧／離反する加圧ローラ５とを備える。そして、記録紙ロール２から引き出され搬送ローラ４、加圧ローラ５へと搬送される記録紙２ａを押圧するデカールローラ１と、加圧ローラ５を記録紙２ａに押圧／離反駆動する機構を用いてデカールローラ１をも記録紙２ａに押圧／離反駆動する駆動機構とを備える。【選択図】図３
2008213986.tif 000002
【特許請求の範囲】
【請求項１】
記録紙ロールから引き出された記録紙を搬送する第１の搬送部材と、
前記記録紙を前記第１の搬送部材との間で押圧／離反する第２の搬送部材と、
前記記録紙ロールから引き出され前記第１、第２の搬送部材へと搬送される前記記録紙を押圧するデカール部材と、
前記第２の搬送部材を前記記録紙に押圧／離反駆動する機構を備え、前記機構により前記デカール部材をも前記記録紙に押圧／離反駆動する駆動機構とを備える、
デカール装置。
【請求項２】
前記記録紙ロールから引き出され前記第１、第２の搬送部材へと搬送される前記記録紙は、前記記録紙ロールの巻き方向と反対方向に前記デカール部材に巻きつけられる、
請求項１に記載のデカール装置。
【請求項３】
前記デカール部材は、
前記記録紙に接して回動可能なローラを含み、
前記ローラは、前記記録紙と接する表面に粘着部材を備える、
請求項１または請求項２に記載のデカール装置。
【請求項４】
前記記録紙ロールから引き出され前記デカール部材へと搬送される前記記録紙が、前記記録紙ロールの巻き方向と同じ方向に巻きつけられるガイド部材をさらに備える、
請求項１乃至請求項３のいずれかに記載のデカール装置。
【請求項５】
前記ガイド部材は、前記記録紙の幅方向の移動を規制する幅方向規制部材を備える、
請求項４に記載のデカール装置。
【請求項６】
前記駆動機構は、
前記第２の搬送部材が前記記録紙に押圧する駆動を行った後に、前記デカール部材が前記記録紙に押圧する駆動を行う、
請求項１乃至請求項５のいずれかに記載のデカール装置。
【発明の詳細な説明】
【技術分野】
【０００１】
本発明は、記録紙ロールから引き出された記録紙のカールを低減させるデカール装置に関するものである。
【背景技術】
【０００２】
デカール装置は、記録紙ロールから引き出された記録紙のカールを低減する装置である。特許文献１に記載されたデカール装置は、デカール部材であるデカールローラの押圧／離反に、専用の機構を備えている。特許文献２に記載されたデカール装置は、常設の付勢バネにより押圧するような構造をとっている。
【０００３】
【特許文献１】特開２００６−１９３３１５号公報
【特許文献２】特開２００５−０７５６１８号公報
【発明の開示】
【発明が解決しようとする課題】
【０００４】
従来のデカール装置では、記録紙を容易に装着するために、特許文献１に記載のデカール装置のように、キャプスタンローラを押圧／離反する駆動機構と、デカールローラを押圧／離反する駆動機構とを備えている。そして、デカールローラの押圧／離反する機構は、専用のモーターが設けられており、キャプスタンローラの押圧／離反する機構と独立している。あるいは、記録紙を容易に装着するための記録紙自動送り機構が設けられている。しかしながら、いずれの機構も、異なる動力機構をそれぞれ独自に有する必要があり、その分コストが高くなるという問題があった。
【０００５】
また、特許文献２に記載のデカール装置において記録紙を装着する場合には、デカールローラの移動機構を係止爪により固定しているので、この係止爪を解除する必要がある。そのため、手動にてわざわざ係止爪を外して、移動機構を移動させる必要があり、手間がかかる。あるいは、爪を解除するための機構が必要となる。こうして、手間あるいはコストがかかることになるという問題があった。
【０００６】
本発明は、上記のような問題点を解決するためになされたものであり、デカールローラの押圧／離反する動作を手動で行うことなく、かつ、その動作を行う一部の動力機構を省略することを目的とする。
【課題を解決するための手段】
【０００７】
本発明に係る請求項１に係るデカール装置は、記録紙ロールから引き出された記録紙を搬送する第１の搬送部材と、前記記録紙を前記第１の搬送部材との間で押圧／離反する第２の搬送部材とを備える。そして、前記記録紙ロールから引き出され前記第１、第２の搬送部材へと搬送される前記記録紙を押圧するデカール部材とを備える。そして、前記第２の搬送部材を前記記録紙に押圧／離反する機構を備え、前記機構により前記デカール部材をも前記記録紙に押圧／離反する駆動機構とを備える。
【発明の効果】
【０００８】
本発明のデカール装置によれば、デカール部材の押圧／離反する動作を手動で行うことなく、かつ、その動作を行う一部の機構を省略することができる。
【発明を実施するための最良の形態】
【０００９】
＜実施の形態１＞
本実施の形態では、本発明に係るデカール装置を備える記録装置、例えば、サーマルプリンターについて説明する。図１は、本実施の形態に係る記録装置を示した斜視図である。本実施の形態に係る記録装置のデカール装置は、第１の搬送部材である搬送ローラ４と、第２の搬送部材である加圧ローラ５と、デカール部材であるデカールローラ１と、ガイド部材であるガイドローラ３と、駆動機構とを備える。
【００１０】
図２は、本実施の形態の記録装置の側面図を示した図である。図２に示すように、搬送ローラ４は、記録紙ロール２から引き出された記録紙２ａを搬送する。加圧ローラ５は、記録紙２ａを搬送ローラ４との間で押圧／離反する。
【００１１】
デカール部材であるデカールローラ１は、記録紙２ａに接して回動可能なローラである。デカールローラ１は、記録紙ロール２から引き出され搬送ローラ４および加圧ローラ５へと搬送される記録紙２ａを押圧する。この記録紙ロール２から引き出され搬送ローラ４および加圧ローラ５へと搬送される記録紙２ａは、記録紙ロール２の巻き方向と反対方向にデカールローラ１に巻きつけられる。
【００１２】
ガイドローラ３には、記録紙ロール２から引き出されデカールローラ１へと搬送される記録紙２ａが、記録紙ロール２の巻き方向と同じ方向に巻きつけられる。このガイドローラ３は、記録紙２ａに接して回動可能となっており、記録部ユニット２１に記録紙２ａを送り出すように記録紙２ａを保持する。ここで、記録部ユニット２１には、例えば、サーマルヘッドが該当する。
【００１３】
このガイドローラ３は、図１に示すように、記録紙２ａの幅方向の移動を規制する幅方向規制部材である幅方向規制ガイド３ａを備える。本実施の形態では、幅方向規制ガイド３ａは、ガイドローラ３の軸上に、例えば、移動可能に設けられ、記録紙２ａの幅に合わせてその両端側に配置される。
【００１４】
駆動機構は、加圧ローラ５を記録紙２ａに押圧／離反駆動する機構を備え、その機構によりデカールローラ１をも記録紙２ａに押圧／離反駆動する。次に、この駆動機構の構成について説明する。なお、駆動機構は、図１に示す右側フレーム１８と左側フレーム１９それぞれに設けられているものとする。
【００１５】
駆動機構の構成のうち、加圧ローラ５を記録紙２ａに押圧／離反駆動する構成の一部を図１を用いて説明する。本実施の形態に係るデカール装置を構成する駆動機構は、加圧レバー１０と、加圧バネ１１と、カムレバー１２と備える。
【００１６】
加圧レバー１０は、加圧ローラ５を回動可能に保持する。この加圧レバー１０が、自己に設けられた回動軸を中心として図１の上下方向に回動することにより、加圧ローラ５を記録紙２ａに押圧／離反駆動する。この加圧レバー１０には、カムレバー１２からの動力を受ける加圧レバー受圧部１０ａが設けられている。
【００１７】
加圧バネ１１は、加圧レバー１０と接続しており、加圧ローラ５を記録紙２ａに押圧する方向（下向き）に付勢する。カムレバー１２には、カムフォロワーと、カムレバー加圧部１２ａが設けられている。カムフォロワーはカム１３と係合しており、カム１３の回動に応じて、カムレバー１２は回動する。カムレバー加圧部１２ａは、加圧レバー１０の加圧レバー受圧部１０ａと係合する。このカムレバー１２が、カム１３の回動に応じて回動し、カムレバー加圧部１２ａが加圧レバー受圧部１０ａを上向きに押し上げることにより、加圧レバー１０は上向きに押し上げられる。
【００１８】
図３は、駆動機構の構成のうち、デカールローラ１を記録紙２ａに押圧／離反駆動する構成の一部を示す斜視図である。本実施の形態に係るデカール装置を構成する駆動機構は、保持部材６と、付勢バネ８と、切り替えレバー９とを備える。
【００１９】
保持部材６は、デカールローラ１を回動可能に保持する。この保持部材６が、保持部材回動軸１８ｂを中心として図３の上下方向に回動することにより、デカールローラ１を記録紙２ａに押圧／離反駆動する。保持部材６には、切り替えレバー９からの動力を受ける係合ピン６ａが設けられている。位置決め部材７は、右側フレーム１８、および、左側フレーム１９のそれぞれに固定されて設けられており、保持部材６の回動を所定の位置で制止する。
【００２０】
図２に示すように、付勢バネ８は、係合ピン６ａに対して保持部材回動軸１８ｂと反対側の位置で保持部材６と接続している。そのため、付勢バネ８は、保持部材６を下向き、つまり、位置決め部材７に向かって付勢する。保持部材６が位置決め部材７に向って付勢される向きは、デカールローラ１を記録紙２ａに押圧する向きと同じである。
【００２１】
図３に示される切り替えレバー９は、例えば、右側フレーム１８上に設けられた切り替えレバー回転軸１８ａを中心として回動する。この切り替えレバー９には、カムフォロワーピン９ａと、押圧部９ｂが設けられている。
【００２２】
このカムフォロワーピン９ａは、カム１３に設けられたカム溝１３ａと嵌合しており、カム１３の回動に応じて、切り替えレバー９は回動する。切り替えレバー９が回動する大きさ、および、加圧ローラ５の押圧／離反に対して切り替えレバー９が回動するタイミングは、カム溝１３ａの形状によって決定される。押圧部９ｂは、保持部材６の係合ピン６ａと係合する。切り替えレバー９が、切り替えレバー回転軸１８ａを中心に回動して、押圧部９ｂが係合ピン６ａを上向きに押し上げることにより、保持部材６は上向きに押し上げられる。
【００２３】
次に、駆動機構の構成のうち、加圧ローラ５を記録紙２ａに押圧／離反駆動する動力となる動力機構について説明する。この動力機構は、図１に示されるモーター１７と、ウォームギヤ１６と、駆動ギヤ１４，１５と、カム１３とを備える。
【００２４】
モーター１７は、動力を発生する。ウォームギヤ１６は、モーター１７の動力を駆動ギヤ１５に伝達する。駆動ギヤ１５は、ウォームギヤ１６から伝達されたモーター１７の動力を駆動ギヤ１４に伝達する。駆動ギヤ１４は、駆動ギヤ１５から伝達されたモーター１７の動力をカム１３へ伝達する。カム１３が駆動ギヤ１４からの動力によって回動することにより、上述したカムレバー１２のカムフォロワーと、切り替えレバー９のカムフォロワーピン９ａは動力を受ける。
【００２５】
本実施の形態では、駆動ギヤ１４は、同期回転軸２０と接続されている。この同期回転軸２０は、右側フレーム１８と左側フレーム１９を貫通して回転可能に保持されており、左右に設けられた動力機構の回動を同期させる。そのため、駆動機構は、フレーム左右で一対となっており、左右がともにバランスを保ちながら駆動することによって、安定して押圧／離反の動作を行えるようにしてある。
【００２６】
次に、図２を用いて、本実施の形態のデカール装置の動作のうち、従来装置と共通する動作を説明する。記録紙ロール２から引き出された記録紙２ａは、搬送ローラ４と、加圧ローラ５との回動により、記録部ユニット２１へと搬送される。ガイドローラ３は、記録紙ロール２から引き出され搬送ローラ４へと搬送される記録紙２ａの片面と接して回動可能となっており、記録紙２ａを保持する。記録紙ロール２から引き出された記録紙２ａは、印字中に、搬送ローラ４と加圧ローラ５との回動により、記録部ユニット２１側へ搬送され、必要に応じて逆側に搬送される。記録部ユニット２１は、記録紙に画像を形成・出力する。
【００２７】
一般的に、記録紙ロール２を使用すると、記録紙２ａには巻き方向の巻き癖が発生する。この巻き癖を低減させるため、ガイドローラ３と搬送ローラ４との間で搬送される記録紙２ａを押圧するデカールローラ１が設けられている。このデカールローラ１は、ガイドローラ３が記録紙２ａと接する面と反対面において記録紙２ａと接するように配置される。そして、図７に示すように、記録紙２ａが、記録紙ロール２の巻き方向と反対方向にデカールローラ１に巻きつけられることにより、巻き癖が低減する。
【００２８】
ここで、記録紙ロール２を交換した直後には、記録紙２ａをガイドローラ３やデカールローラ１や、搬送ローラ４と加圧ローラ５に沿った経路に配置するという作業が必要となる。この作業を容易にするために、図５に示すように、デカールローラ１や加圧ローラ５を、離反させた位置、あるいは、さらに離反させた退避位置へ移動させる必要がある。
【００２９】
従来の記録装置が備えるデカール装置では、デカールローラ１を記録紙２ａに押圧／離反する動作を、加圧ローラ５を押圧／離反駆動する駆動機構とは別の駆動機構を用いるか、手動によって行っていた。本実施の形態に係る記録装置は、加圧ローラ５を記録紙２ａに押圧／離反駆動する駆動機構と同じ駆動機構を用いて、デカールローラ１を記録紙２ａに押圧／離反駆動する。
【００３０】
本実施の形態に係るデカール装置の上記動作について以下説明する。まず、図１を用いて、加圧ローラ５について、記録紙２ａを押圧している状態から離反する状態へ移行する動作を説明する。加圧ローラ５の記録紙２ａへの押圧は、加圧バネ１１が、加圧レバー１０を加圧方向に付勢することにより行われる。このようにして行われる押圧状態から、加圧ローラ５が離反状態に移行するためには、加圧レバー１０が上向きに押し上げられることが必要である。その動作は次のように行われる。
【００３１】
モーター１７の動力により、ウォームギヤ１６、駆動ギヤ１５、駆動ギヤ１４を介して、カム１３が回動する。そうすると、カム１３の回動に応じて、カム１３と係合するカムレバー１２のカムフォロワーが移動する。そして、カムレバー１２が回動し、カムレバー１２のカムレバー加圧部１２ａが、加圧レバー１０の加圧レバー受圧部１０ａを押し上げる。こうして、加圧レバー１０が押し上げられることにより、加圧ローラ５が記録紙２ａから離反する。
【００３２】
次に、図３を用いて、デカールローラ１について、記録紙２ａを押圧している状態から離反する状態へ移行する動作を説明する。デカールローラ１の記録紙２ａへの押圧は、付勢バネ８が、保持部材６を図３の下方向に付勢することにより行われる。ただし、保持部材６の回動は、位置決め部材７により適正な所定の位置で制止され、これにより、デカールローラ１が最も押圧する位置が決まる。この押圧状態から、デカールローラ１が離反状態に移行するためには、保持部材６が上向きに押し上げられることが必要である。その動作は次のように行われる。
【００３３】
モーター１７の動力により、ウォームギヤ１６、駆動ギヤ１５、駆動ギヤ１４を介して、カム１３を回動させる。そうすると、カム１３のカム溝１３ａに応じて、カム１３と嵌合するカムフォロワーピン９ａが移動し、切り替えレバー９が切り替えレバー回転軸１８ａを中心として回動する。この切り替えレバー９が回動すると、切り替えレバー９の押圧部９ｂが、保持部材６の係合ピン６ａを押し上げられる。こうして、保持部材６が上向きに押し上げられることにより、デカールローラ１が記録紙２ａから離反する。
【００３４】
上述したように、切り替えレバー９が回動する大きさ、および、加圧ローラ５の押圧／離反に対して切り替えレバー９が回動するタイミングは、カム溝１３ａの形状により決定される。そのため、デカールローラ１が押圧／離反する大きさ、および、加圧ローラ５の押圧／離反に対してデカールローラ１が押圧／離反するタイミングは、カム１３のカム溝１３ａの形状により決定される。つまり、カム１３のカム溝１３ａの形状をうまく形成することにより、デカールローラの大きさ、タイミングを様々組み合わせた動作モードの選択が可能となる。
【００３５】
そこで、本実施の形態に係るデカール装置を構成する駆動機構は、図４に示すように、加圧ローラ５を記録紙２ａに押圧する駆動を行った後に、デカールローラ１を記録紙２ａに押圧する駆動を行うものとして以下説明する。
【００３６】
記録紙２ａ装着時には、駆動機構は、カム１３のポジションを、図４の「記録紙装着」にする。この場合、加圧ローラ５、および、デカールローラ１は、図５に示されるように、ともに記録紙２ａから離反している。
【００３７】
印画動作が開始されると、駆動機構は、モーター１７からの動力によりカム１３を回動し、カム１３のポジションを、図４の「デカールＯＦＦ」にする。この場合、加圧ローラ５、および、デカールローラ１は、図６に示される位置に移動する。図に示されるように、加圧ローラ５は、記録紙２ａを押圧しているが、デカールローラ１は、記録紙２ａから離反している。この状態を、記録紙２ａの巻き径が大きく、巻き癖が発生しにくい場合や、記録紙２ａを高速で搬送する場合に適用すれば、必要以上に記録紙２ａに付加を与えることなく、記録紙２ａを搬送することができる。
【００３８】
そして、記録紙２ａの巻き径が小さくなった場合には、駆動機構は、モーター１７からの動力によりカム１３を回動し、カム１３のポジションを、図４の「デカール−１」にする。この場合、デカールローラ１は、図７の実線で示される位置に移動する。図に示されるように、加圧ローラ５、および、デカールローラ１は、ともに記録紙２ａを押圧している。記録紙２ａは、記録紙ロール２の巻き方向と反対方向にデカールローラ１に巻きつけられて搬送されるため、記録紙２ａの巻き癖が軽減される。なお、巻き径の検知は、例えば、記録紙ロール２の軸回転の速さにより検知すればよい。
【００３９】
一般に、記録紙ロール２の記録紙２ａの巻き径が小さいほど、記録紙２ａの巻き癖が発生しやすくなる傾向にある。そこで、記録紙２ａの巻き径が小さい場合には、駆動機構は、モーター１７からの動力によりカム１３を回動し、カム１３のポジションを、図４の「デカール−２」にする。そうすると、デカールローラ１は、図７中のＡ方向に押し込まれ、点線で示される位置に移動する。こうして、デカールローラ１に対する記録紙２ａの巻きつけ角が増大するため、カール軽減効果もより大きくなる。
【００４０】
以上のように構成された本実施の形態に係る記録装置は、デカールローラ１の押圧／離反する動作を手動で行うことなく、その動作を、加圧ローラ５を押圧／離反駆動する駆動機構により行うことができる。そのため、デカールローラ１を記録紙２ａに押圧／離反する動作を、安価な構成で容易に行うことができる。
【００４１】
また、デカールローラ１の近くに、ガイドローラ３を設けると、デカールローラ１による押圧により、記録紙２ａのガイドローラ３への巻きつけ角が大きくなる。そのため、記録紙２ａの巻き癖を軽減することができる。
【００４２】
また、ガイドローラ３の幅方向規制ガイド３ａにより、記録紙２ａの搬送方向への斜行を防ぐことができる。なお、記録紙２ａ装着時には、デカールローラ１は、加圧ローラ５と共に記録紙２ａから離反可能であるため、幅方向規制ガイド３ａがあっても、容易に装着することができる。
【００４３】
なお、上述したデカールローラ１は、記録紙２ａと接する表面に粘着部材を備えるようにしてもよい。
【００４４】
その場合には、記録紙２ａ上についたゴミ等を除去する清掃ローラとして機能を同時に持たせることができる。なお、記録紙２ａを交換して装着する場合には、上述したように、デカールローラ１を記録紙２ａと接触しない位置まで離反させるようにする。そのようにすれば、デカールローラ１の粘着部材の粘着性により、記録紙２ａが貼りついて装着できなかったり、記録紙２ａを搬送される所望の経路にスムーズに配置できなかったりする不具合を回避することができる。
【００４５】
また、駆動機構は、加圧ローラ５を記録紙２ａに押圧する駆動を行った後に、デカールローラ１を記録紙２ａに押圧する駆動を行う。そのため、必要以上に記録紙２ａに付加を与えることなく、記録紙２ａを搬送することができる。
【００４６】
なお、本実施の形態では、デカール装置を構成する駆動機構は、加圧ローラ５を記録紙２ａに押圧する駆動を行った後に、デカールローラ１を記録紙２ａに押圧する駆動を行うものとした。しかし、これに限ったものではなく、デカールローラ１を記録紙２ａに押圧／離反駆動するタイミングを様々組み合わせた動作モードが可能であり、例えば、デカールローラ１、および、加圧ローラ５を、同じタイミングで押圧する駆動を行ってもよい。
【図面の簡単な説明】
【００４７】
【図１】実施の形態１に係る記録装置の斜視図である。
【図２】実施の形態１に係る記録装置の側面図である。
【図３】実施の形態１に係る記録装置の斜視図である。
【図４】実施の形態１に係る記録装置の動作を説明する図である。
【図５】実施の形態１に係る記録装置の動作を説明する側面図である。
【図６】実施の形態１に係る記録装置の動作を説明する側面図である。
【図７】実施の形態１に係る記録装置の動作を説明する側面図である。
【符号の説明】
【００４８】
１  デカールローラ、２  記録紙ロール、２ａ  記録紙、３  ガイドローラ、３ａ  幅方向規制ガイド、４  搬送ローラ、５  加圧ローラ、６  保持部材、６ａ  係合ピン、７  位置決め部材、８  付勢バネ、９  切り替えレバー、９ａ  カムフォロワーピン、９ｂ  押圧部、１０  加圧レバー、１０ａ  加圧レバー受圧部、１１  加圧バネ、１２  カムレバー、１２ａ  カムレバー加圧部、１３  カム、１３ａ  カム溝、１４  駆動ギヤ、１５  駆動ギヤ、１６  ウォームギヤ、１７  モーター、１８  右側フレーム、１８ａ  切り替えレバー回転軸、１８ｂ  保持部材回動軸、１９  左側フレーム、２０  同期回転軸、２１  記録部ユニット。
【図１】
2008213986.tif 000003
【図２】
2008213986.tif 000004
【図３】
2008213986.tif 000005
【図４】
2008213986.tif 000006
【図５】
2008213986.tif 000007
【図６】
2008213986.tif 000008
【図７】
2008213986.tif 000009